(57)【要約】【課題】無線区間における通信の輻輳を防止するために、エッジコンピューティングを利用して車両からのデータのアップリンク送信を適切に制御する技術を提供する。【解決手段】通信制御部（通信制御装置）は、ＭＥＣノードに接続された複数の基地局により形成される複数のセル内を移動する各車両についてのセル遷移情報を、ＭＥＣノード（ＮＷ情報収集部）から取得する（Ｓ１）。通信制御部は、取得したセル遷移情報に基づいて、経路依存データについてのアップリンクの送信制御の対象とされる、複数の車両から成る車群を判定する（Ｓ２）。更に、通信制御部は、判定した車群に対して、経路依存データのアップリンク送信を行う車両を、当該車群に属する複数の車両のうちの一部の車両に制限する送信制御を行う（Ｓ３，Ｓ４）。【選択図】図５
2019146072.tif 000002
【特許請求の範囲】
【請求項１】
複数の基地局と、前記複数の基地局と接続された、エッジコンピューティングのためのノード装置とを含むネットワークに配置される通信制御装置であって、
前記複数の基地局により形成される複数のセル内を移動する各車両についてのセル間の遷移を示すセル遷移情報を、前記ノード装置から取得する取得手段と、
前記取得手段により取得された前記セル遷移情報に基づいて、送信制御の対象とされる、複数の車両から成る車群を判定する判定手段と、
前記判定手段により判定された前記車群からのデータのアップリンク送信を制御する制御手段であって、車両の移動経路に依存する経路依存データのアップリンク送信を行う車両を、前記車群に属する複数の車両のうちの一部の車両に制限する、前記制御手段と、
を備えることを特徴とする通信制御装置。
【請求項２】
前記判定手段は、前記セル遷移情報に基づいて、予め設定された時間間隔の間に、前記複数のセルのうちの第１セルから第２セルへ遷移した複数の車両を特定し、当該特定した複数の車両から成る車群を、前記送信制御の対象とされる車群として判定することを特徴とする請求項１に記載の通信制御装置。
【請求項３】
前記取得手段は、更に、前記複数のセルのそれぞれにおけるアップリンクの輻輳度を示す輻輳情報を、前記ノード装置から取得し、
前記通信制御装置は、前記取得手段により取得された前記輻輳情報が示す輻輳度に応じて前記時間間隔を設定する第１設定手段を更に備える
ことを特徴とする請求項２に記載の通信制御装置。
【請求項４】
前記第１設定手段は、前記輻輳度が高いほど、前記時間間隔を大きくすることを特徴とする請求項３に記載の通信制御装置。
【請求項５】
前記取得手段により取得された前記セル遷移情報に基づいて、前記第２セルに属する車両の台数を特定し、当該特定した台数に応じて前記時間間隔を設定する第１設定手段を更に備えることを特徴とする請求項２に記載の通信制御装置。
【請求項６】
前記第１設定手段は、前記第２セルに属する車両が多いほど、前記時間間隔を大きくすることを特徴とする請求項５に記載の通信制御装置。
【請求項７】
前記判定手段は、前記セル遷移情報に基づいて、前記複数のセルのうちの第１セルから第２セルへ順に遷移した車両の時間間隔を特定し、予め設定された閾値間隔以内の時間間隔で前記第１セルから前記第２セルへ順に遷移した、連続する複数の車両から成る車群を、前記送信制御の対象とされる車群として判定することを特徴とする請求項１から６のいずれか１項に記載の通信制御装置。
【請求項８】
前記取得手段は、更に、前記複数のセルのそれぞれにおけるアップリンクの輻輳度を示す輻輳情報を、前記ノード装置から取得し、
前記通信制御装置は、前記取得手段により取得された前記輻輳情報が示す輻輳度に応じて前記閾値間隔を設定する第２設定手段を更に備える
ことを特徴とする請求項７に記載の通信制御装置。
【請求項９】
前記第２設定手段は、前記輻輳度が高いほど、前記閾値間隔を大きくすることを特徴とする請求項８に記載の通信制御装置。
【請求項１０】
前記取得手段により取得された前記セル遷移情報に基づいて、前記第２セルに属する車両の台数を特定し、当該特定した台数に応じて前記閾値間隔を設定する第２設定手段を更に備えることを特徴とする請求項７に記載の通信制御装置。
【請求項１１】
前記第２設定手段は、前記第２セルに属する車両が多いほど、前記閾値間隔を大きくすることを特徴とする請求項１０に記載の通信制御装置。
【請求項１２】
前記判定手段は、前記セル遷移情報に基づいて、前記複数のセルのうちの第１セルから第２セルへ遷移した車両のうち、前記第２セルまでに所定数の同じセルを遷移してきた複数の車両を特定し、当該複数の車両から成る車群を、前記送信制御の対象とされる車群として判定することを特徴とする請求項１から１１のいずれか１項に記載の通信制御装置。
【請求項１３】
前記制御手段は、前記判定手段により判定された前記車群に対して、前記第２セルにおけるアップリンク送信の制御を行うことを特徴とする請求項２から１２のいずれか１項に記載の通信制御装置。
【請求項１４】
前記制御手段は、前記判定手段により判定された前記車群に対して、前記第２セルと、前記第２セルから連続して隣接する１つ以上のセルとにおける、アップリンク送信の制御を行うことを特徴とする請求項２から１２のいずれか１項に記載の通信制御装置。
【請求項１５】
前記制御手段は、前記複数のセルのうち第１セルから第２セルへ遷移した車両から成る前記車群について、前記第２セルへ遷移したタイミングが早い順に、予め設定された台数の車両にのみ、前記経路依存データのアップリンク送信を許可することを特徴とする請求項１から１４のいずれか１項に記載の通信制御装置。
【請求項１６】
前記取得手段は、更に、前記複数のセルのそれぞれにおけるアップリンクの輻輳度を示す輻輳情報を、前記ノード装置から取得し、
前記通信制御装置は、前記取得手段により取得された前記輻輳情報が示す輻輳度に応じて、前記経路依存データのアップリンク送信を許可する車両の台数を設定する第３設定手段を更に備える
ことを特徴とする請求項１５に記載の通信制御装置。
【請求項１７】
前記取得手段により取得された前記セル遷移情報に基づいて、前記第２セルに属する車両の台数を特定し、当該特定した台数に応じて、前記経路依存データのアップリンク送信を許可する車両の台数を設定する第３設定手段を更に備えることを特徴とする請求項１５に記載の通信制御装置。
【請求項１８】
前記制御手段は、前記車群に属する、前記一部の車両以外の車両に対して、前記判定手段により判定された前記車群に属している間の、前記経路依存データのアップリンク送信を禁止することを特徴とする請求項１から１７のいずれか１項に記載の通信制御装置。
【請求項１９】
前記制御手段は、前記車群に属する、前記一部の車両以外の車両に対して、所定の時間が経過するまでの、前記経路依存データのアップリンク送信を禁止することを特徴とする請求項１から１７のいずれか１項に記載の通信制御装置。
【請求項２０】
前記通信制御装置は、前記ノード装置内に配置されているか、又は前記ノード装置に接続されていることを特徴とする請求項１から１９のいずれか１項に記載の通信制御装置。
【請求項２１】
複数の基地局と、前記複数の基地局と接続された、エッジコンピューティングのためのノード装置とを含むネットワークに配置される通信制御装置の制御方法であって、
前記複数の基地局により形成される複数のセル内を移動する各車両についてのセル間の遷移を示すセル遷移情報を、前記ノード装置から取得する取得工程と、
前記取得工程で取得された前記セル遷移情報に基づいて、送信制御の対象とされる、複数の車両から成る車群を判定する判定工程と、
前記判定工程で判定された前記車群からのデータのアップリンク送信を制御する制御工程であって、車両の移動経路に依存する経路依存データのアップリンク送信を行う車両を、前記車群に属する複数の車両のうちの一部の車両に制限する、前記制御工程と、
を含むことを特徴とする通信装置の制御方法。
【請求項２２】
請求項２１に記載の通信装置の制御方法の各工程をコンピュータに実行させるためのプログラム。
【発明の詳細な説明】
【技術分野】
【０００１】
本発明は、モバイルネットワークに接続される車両からのアップリンク通信を制御するための通信制御装置、及びその制御方法、並びにプログラムに関するものである。
【背景技術】
【０００２】
通信機能を有し、ＩＣＴ端末として機能する自動車であるコネクティッドカー（Connected Car）の普及が進められている。コネクティッドカーは、自動車の安全性や快適性の向上のために、自動車、運転者、又は周囲の状況に関する情報をデータセンターとの間で送受信することで、データセンターによる情報の蓄積及び分析を実現する。コネクティッドカーは、多種多様な情報（例えば、車両の制御・操作データ、運転者の操作データ、ダイナミックマップデータ、ドライブレコーダーの動画データ等）をネットワークへ送信（アップロード）する。このようなコネクティッドカーのネットワークへの接続形態としては、セルラーネットワークの利用が想定される。
【０００３】
コネクティッドカーの普及により、各車両が生成したデータをネットワークを介してデータセンターに蓄積するためのアップリンクトラフィックの増加が想定される。例えば、コネクティッドカーの渋滞が発生してアップリンクトラフィックが局所的に増加した場合、アップリンク通信の輻輳が発生する可能性がある。この場合、コネクティッドカー向けの通信の品質（ＱｏＳ）が劣化する可能性がある。
【０００４】
このようにデータセンターへ向かうアップリンクトラフィックを制御するために、ＥＴＳＩ（European Telecommunications Standards Institute）で標準化されたＭＥＣ（Multi-access Edge Computing）（例えば、非特許文献１）の利用が検討されている。ＭＥＣを利用して、各車両から送信されたデータに対して圧縮等の処理を行うことで、上位のネットワークへ向かうトラフィックの低減が期待されている。
【先行技術文献】
【非特許文献】
【０００５】
【非特許文献１】ETSI GS MEC 002 V1.1.1 (2016-03): Mobile Edge Computing (MEC); Technical Requirements、[online]、[2018年2月19日検索]、インターネット＜URL: http://www.etsi.org/deliver/etsi_gs/MEC/001_099/002/01.01.01_60/gs_MEC002v010101p.pdf＞、第29頁
【発明の概要】
【発明が解決しようとする課題】
【０００６】
しかし、セルラーネットワーク等の通信ネットワークでは、一般に、移動局と基地局との間の無線区間において、アップリンクよりもダウンリンクに多くの無線リソースが割り当てられる。このような通信ネットワークでは、コネクティッドカーの増加により、無線区間においてアップリンク通信の輻輳が発生しやすくなりうる。このため、無線区間よりも上位の区間におけるトラフィックを低減するだけでは十分ではなく、無線区間における通信の輻輳を防止することも求められる。
【０００７】
本発明は、上述の課題に鑑みてなされたものである。本発明は、無線区間における通信の輻輳を防止するために、エッジコンピューティングを利用して車両からのデータのアップリンク送信を適切に制御する技術を提供することを目的としている。
【課題を解決するための手段】
【０００８】
本発明の一態様の係る通信制御装置は、複数の基地局と、前記複数の基地局と接続された、エッジコンピューティングのためのノード装置とを含むネットワークに配置される通信制御装置であって、前記複数の基地局により形成される複数のセル内を移動する各車両についてのセル間の遷移を示すセル遷移情報を、前記ノード装置から取得する取得手段と、前記取得手段により取得された前記セル遷移情報に基づいて、送信制御の対象とされる、複数の車両から成る車群を判定する判定手段と、前記判定手段により判定された前記車群からのデータのアップリンク送信を制御する制御手段であって、車両の移動経路に依存する経路依存データのアップリンク送信を行う車両を、前記車群に属する複数の車両のうちの一部の車両に制限する、前記制御手段と、を備えることを特徴とする。
【発明の効果】
【０００９】
本発明によれば、無線区間における通信の輻輳を防止するために、エッジコンピューティングを利用して車両からのデータのアップリンク送信を適切に制御することが可能になる。
【図面の簡単な説明】
【００１０】
【図１】ＭＥＣノードを含む通信ネットワークの構成例を示す図。
【図２】通信制御装置（通信制御部）により判定される車群の例を示す図。
【図３】ＭＥＣノードのハードウェア構成例を示すブロック図。
【図４】ＭＥＣノードの機能構成例を示すブロック図。
【図５】通信制御部により実行される処理の手順を示すフローチャート。
【図６】車群の判定処理の例を示す図。
【図７】判定された車群の有効範囲の例を示す図。
【発明を実施するための形態】
【００１１】
以下、本発明の例示的な実施形態について図面を参照して説明する。なお、以下の各図においては、実施形態の説明に必要ではない構成要素については図から省略する。
【００１２】
＜ネットワーク構成＞
図１は、本発明の実施形態に係る、ＭＥＣノードを含む通信ネットワークの構成例を示す図である。本実施形態のＭＥＣノード１０（ＭＥＣノード１０ａ，１０ｂのそれぞれ）は、エッジコンピューティング（ＭＥＣ）のためのノード装置である。ＭＥＣノード１０には、本発明の通信制御装置の一例として機能する通信制御部（図２の通信制御部２０）が設けられている。
【００１３】
図１に示すように、ＭＥＣノード１０は、複数の基地局と上位ネットワーク１１との間に接続される。ＭＥＣノード１０は、接続されている複数の基地局を管理しており、当該複数の基地局によりそれぞれ形成される複数のセルを管理している。例えば、ＭＥＣノード１０ａは、セル１及び２を管理している。ＭＥＣノード１０は、接続されている複数の基地局によって形成される複数のセル内を移動（走行）する車両等の無線端末に対してサービス（例えば、車両の自動走行支援サービス）を提供する。
【００１４】
通信ネットワークへの接続機能を有する車両（コネクティッドカー）は、基地局のセル内を走行中に、当該セルを形成する基地局に無線接続できる。基地局に無線接続した車両は、当該基地局を介してＭＥＣノード１０及び上位ネットワーク１１にアクセスできるとともに、上位ネットワーク１１を介してデータセンター１２にアクセスできる。これにより、各車両は、生成したデータ（例えば、車両の制御・操作データ、運転者の操作データ、ダイナミックマップデータ、ドライブレコーダーの動画データ等）を、接続中の基地局を介してデータセンター１２へ送信（アップロード）することが可能である。
【００１５】
図１の構成例では、２つのＭＥＣノード１０ａ，１０ｂのみが存在しているが、任意の数のＭＥＣノードを通信ネットワーク内に配置可能である。また、通信ネットワークとしてＬＴＥ（Long Term Evolution）／ＬＴＥ−Ａｄｖａｎｃｅｄネットワークを想定した場合、各基地局はｅＮｏｄｅＢであり、上位ネットワーク１１にはコアネットワークであるＥＰＣ（Evolved Packet Core）が含まれる。上位ネットワーク１１には、更に、コアネットワークより上位の外部ネットワーク（例えば、パケットデータネットワーク（ＰＤＮ）又はインターネット）が含まれうる。
【００１６】
なお、本発明が適用される通信ネットワークは、ＬＴＥ／ＬＴＥ−Ａｄｖａｎｃｅｄネットワーク以外のモバイルネットワークであってもよい。例えば、通信ネットワークは、第３世代パートナーシッププロジェクト（３ＧＰＰ）で規格化が進められている第５世代（５Ｇ）のモバイルネットワークであってもよい。
【００１７】
＜通信制御装置による処理の概要＞
コネクティッドカーが接続されるモバイルネットワーク等の通信ネットワークでは、上述のように、コネクティッドカーの増加に伴うアップリンクトラフィックの増加に起因して、無線区間においてアップリンク通信の輻輳が発生する可能性がある。例えば、基地局の１つのセル内で渋滞が発生した場合に、当該基地局を介して多数の車両が同時にデータセンター１２へデータをアップロードしようとすると、アップリンク通信の輻輳が発生する可能性がある。これは、コネクティッドカー向けの通信のＱｏＳの劣化につながる。
【００１８】
そこで、上述のようなアップリンク通信の輻輳を防止するために、本実施形態に係る通信制御装置は、ＭＥＣノード１０が管理している複数のセル内において、相互に比較的近い位置を移動（走行）している一群の複数の車両である車群を判定する。図２は、通信制御装置により判定される車群の例を示す図である。本実施形態では、図２に示すようにＭＥＣノード１０内に配置された通信制御部２０が通信制御装置として機能する。通信制御部２０による車群の判定は、ＭＥＣノード１０において取得できる、各車両についてのセル間の遷移を示すセル遷移情報に基づいて行われる。図２の例では、セル１からセル２への各車両の遷移のタイミングに基づいて判定される、セル１からセル２に遷移した車両から成る車群を示している。
【００１９】
更に、通信制御部２０は、判定した車群の各車両により生成されるデータのうち、車両間で類似したものとなる特定タイプのデータについて、当該車群の中の一部の車両にのみアップロード（送信）を行わせる送信制御を行う。この特定タイプのデータは、例えば、ドライブレコーダーにより取得されるデータやＬＩＤＡＲ（Light Detection and Ranging）データといった、車両への依存性がなく、車両の移動経路に依存する経路依存データである。このような経路依存データについては、データを生成する車両が異っても、それらの車両が同じ時間帯に同じ経路を通った場合には同じようなデータが各車両によって生成される。通信制御部２０によって判定される車群は、概ね、同じ時間帯に同じ経路を通る車両で構成されるものと言える。このため、通信制御部２０は、判定した車群の中で、このような経路依存データをアップロード（送信）する車両を一部の車両に制限する。これにより、当該車群から送信されるデータの情報量を保ちつつ、当該車群からの送信データ量を低減（即ち、全体のアップリンクトラフィックを低減）することが可能になる。
【００２０】
以下では、このような処理を実現するための、ＭＥＣノード１０の通信制御部２０の構成例、及び具体的な処理手順の例について説明する。
【００２１】
＜ＭＥＣノードの構成＞
図３は、本実施形態に係るＭＥＣノード１０のハードウェア構成例を示すブロック図である。ＭＥＣノード１０は、ＣＰＵ３１、ＲＯＭ３２、ＲＡＭ３３、外部記憶装置３４（ＨＤＤ等）、及び通信装置３５（通信インタフェース）を有する。
【００２２】
ＭＥＣノード１０では、例えばＲＯＭ３２、ＲＡＭ３３及び外部記憶装置３４のいずれかに格納された、ＭＥＣノード１０の各機能を実現するプログラムがＣＰＵ３１によって実行される。なお、ＣＰＵ３１は、ＡＳＩＣ（特定用途向け集積回路）、ＦＰＧＡ（フィールドプログラマブルゲートアレイ）、ＤＳＰ（デジタルシグナルプロセッサ）等で構成された１つ以上のプロセッサによって置き換えられてもよい。
【００２３】
通信装置３５は、ＣＰＵ３１による制御下で、ＭＥＣノード１０に接続された各基地局との通信（各基地局を介した車両との通信）、及び上位ネットワーク１１に接続されたノード（例えば、データセンター１２）との通信を行う。ＭＥＣノード１０は、それぞれ接続先が異なる複数の通信装置３５を有していてもよい。
【００２４】
図４は、本実施形態に係るＭＥＣノード１０の構成例を示す図である。ＭＥＣノード１０の各機能は、例えば図３のハードウェアによって実現される論理的な機能であり、ＣＰＵ３１がＲＯＭ３２等に格納されたプログラムを実行することによって実現されうる。なお、ＭＥＣノード１０は、各機能を実行する専用のハードウェアを備えてもよいし、一部をハードウェアで実行し、プログラムを動作させるコンピュータでその他の部分を実行してもよい。また、全機能がコンピュータとプログラムにより実行されてもよい。
【００２５】
本実施形態では、ＭＥＣノード１０は、ＮＷ（ネットワーク）情報収集部４０、情報取得部４１、車群判定部４２、基準設定部４３、及びＵＬ（アップリンク）制御部４４を有する。本実施形態において、情報取得部４１、車群判定部４２、基準設定部４３、及びＵＬ制御部４４は、通信制御装置の一例である通信制御部２０を構成する。
【００２６】
ＮＷ情報収集部４０は、ＭＥＣの標準仕様において策定されているＲＮＩ（Radio Network Information）サービス等の機能を利用して、ＭＥＣノード１０が管理している複数のセルのそれぞれにおける通信状況を示す通信情報（ネットワーク情報）を収集する。通信情報には、各車両についてのセル間の遷移（移動）を示すセル遷移情報が含まれる。また、通信情報には、更に、各セルにおけるアップリンクの輻輳度を示す輻輳情報が含まれうる。ＮＷ情報収集部４０は、収集した通信情報を通信制御部２０に対して提供する。
【００２７】
通信制御部２０の情報取得部４１は、ＭＥＣノード１０が管理している複数のセル内を移動する各車両についてのセル遷移情報を、ＮＷ情報収集部４０から取得する。本実施形態では、情報取得部４１は、ＭＥＣのＡＰＩを利用して、セル遷移情報を含む通信情報をＮＷ情報収集部４０から取得する。なお、セル遷移情報の取得は、ＭＥＣのＡＰＩを利用した方法に限定されない。
【００２８】
車群判定部４２は、情報取得部４１により取得された、各車両についてのセル遷移情報に基づいて、経路依存データについてのアップリンクの送信制御の対象とされる、複数の車両から成る車群を判定する。後述するように、車群判定部４２は、各車両のセル間の遷移のタイミングと、各車両の過去のセル遷移（移動経路）との少なくともいずれかに基づいて、車群の判定を行いうる。基準設定部４３は、車群判定部４２による車群の判定の基準として用いられる基準値を設定する。この基準値は、図６を用いて後述する時間間隔ΔＴ及び閾値間隔ΔＴthである。
【００２９】
ＵＬ制御部４４は、車群判定部４２により判定された車群からのデータのアップリンク送信を制御する。具体的には、ＵＬ制御部４４は、判定された車群に対して、経路依存データのアップリンク送信を行う車両を、当該車群に属する複数の車両のうちの一部の車両に制限する送信制御を行う。即ち、ＵＬ制御部４４は、判定された車群に属する一部の車両にのみ、経路依存データのアップリンク送信を許可する。ＵＬ制御部４４は、残りの車両に対して、経路依存データのアップリンク送信を一時的に禁止する。アップリンク送信を禁止する期間は、例えば、禁止対象の車両が、判定された車群に属している期間、又は所定の待ち時間が経過するまでの期間である。
【００３０】
＜通信制御装置の処理手順＞
次に、図１及び図２に示されるネットワーク構成を例に、ＭＥＣノード１０の通信制御部２０により実行される具体的な処理の手順について説明する。図５は、通信制御部２０により実行される処理の手順を示すフローチャートである。図５の処理は、任意のタイミングに実行され、例えば、定期的に実行されてもよいし、又は、ＭＥＣノード１０が管理している各セルにおけるアップリンクの輻輳度が高まった（所定レベルに達した）場合に、当該セルに対して実行されてもよい。
【００３１】
まずＳ１で、情報取得部４１は、ＭＥＣノード１０が管理している複数のセル内を移動する各車両についてのセル遷移情報を含む通信情報を、ＮＷ情報収集部４０から取得する。セル遷移情報は、各車両のセル間の遷移のタイミング（図２の例ではセル１からセル２への遷移のタイミング）を示す情報を含む。
【００３２】
次にＳ２で、車群判定部４２は、情報取得部４１によって取得されたセル遷移情報に基づいて、経路依存データについてのアップリンクの送信制御の対象とされる、複数の車両から成る車群を判定する。車群の判定は、以下の第１例〜第３例の処理のいずれかにより、又は１つ以上を組み合わせて実現されうる。
【００３３】
（第１例）
図６（Ａ）は、車群判定部４２による車群の判定処理の第１例を示す図である。本例において、車群判定部４２は、セル遷移情報に基づいて、予め設定された時間間隔ΔＴの間に、ＭＥＣノード１０が管理している第１セルから第２セルへ遷移した複数の車両を特定し、当該複数の車両から成る車群を、送信制御の対象とされる車群として判定する。
【００３４】
図６（Ａ）の例では、最初の時間間隔ΔＴにおいて、４台の車両Ａ１〜Ａ４が、セル１からセル２に遷移し、次の時間間隔ΔＴにおいて、３台の車両Ｂ１〜Ｂ３が、セル１からセル２へ遷移している。この場合、車群判定部４２は、車両Ａ１〜Ａ４を１つの車群（車群Ａ）として判定し、車両Ｂ１〜Ｂ３を別の車群（車群Ｂ）として判定する。
【００３５】
上述の時間間隔ΔＴは、基準設定部４３によって予め設定される。ΔＴは、固定値として設定されてもよい。あるいは、ΔＴは、各セルの輻輳度又は各セルに属する車両の台数に応じて、セルごとに適宜変更されてもよい。
【００３６】
具体的には、基準設定部４３は、情報取得部４１によって取得された通信情報に含まれる輻輳情報が示す輻輳度に応じて、ΔＴを設定してもよい。図６（Ａ）の例では、セル２の輻輳度に応じて、セル２に対応するΔＴが設定される。この場合、基準設定部４３は、例えば、セル２の輻輳度が高いほど、対応するΔＴを大きくする。ΔＴを大きくすることにより、車群判定部４２より判定される（セル２内で有効となる）車群に含まれる車両の台数を多くすることができる。これは、セル２内で経路依存データのアップリンク送信を行う車両の台数を低減（即ち、車両からの送信データ量を低減）することにつながる。
【００３７】
また、基準設定部４３は、セル遷移情報に基づいて、各セルに属する車両の台数を特定し、特定した車両の台数に応じて時間間隔ΔＴを設定してもよい。図６（Ｂ）の例では、基準設定部４３は、セル２に属する車両の台数に応じて、セル２に対応するΔＴを設定する。この場合、基準設定部４３は、例えば、セル２に属する車両が多いほど、対応するΔＴを大きくする。
【００３８】
（第２例）
図６（Ｂ）は、車群判定部４２による車群の判定処理の第２例を示す図である。本例において、車群判定部４２は、セル遷移情報に基づいて、ＭＥＣノード１０が管理している第１セルから第２セルへ（図２の例ではセル１からセル２へ）順に遷移した車両の時間間隔Δｔを特定する。更に、車群判定部４２は、予め設定された閾値間隔ΔＴth以内の時間間隔で第１セルから第２セルへ順に遷移した、連続する複数の車両から成る車群を、送信制御の対象とされる車群として判定する。
【００３９】
図６（Ｂ）の例では、車両Ａ１から車両Ａ４までの連続する４台の車両は、順に閾値間隔ΔＴth以内の時間間隔Δｔで、セル１からセル２へ遷移している。その後、車両Ａ４と次の車両Ｂ１との時間間隔は、閾値間隔ΔＴthを上回っている（Δｔ＞ΔＴth）。このため、車群判定部４２は、車両Ａ１〜Ａ４を１つの車群（車群Ａ）として判定し、車両Ｂ１以降の車両については別の車群として判定する。本例では、車両Ｂ１から車両Ｂ３までの連続する３台の車両は、順に閾値間隔ΔＴth以内の時間間隔Δｔで、セル１からセル２へ遷移している。このため、車群判定部４２は、車両Ｂ１〜Ｂ３を別の車群（車群Ｂ）として判定する。
【００４０】
上述の閾値間隔ΔＴthは、基準設定部４３によって予め設定される。ΔＴthは、固定値として設定されてもよい。あるいは、ΔＴthは、第１例のΔＴと同様、各セルの輻輳度又は各セルに属する車両の台数に応じて、セルごとに適宜変更されてもよい。例えば、基準設定部４３は、セル２の輻輳度が高いほど、対応するΔＴthを大きくしてもよい。また、基準設定部４３は、セル２に属する車両が多いほど、対応するΔＴthを大きくしてもよい。ΔＴthを大きくすることにより、車群判定部４２より判定される（セル２内で有効となる）車群に含まれる車両の台数を多くすることができる。これは、セル２内で経路依存データのアップリンク送信を行う車両の台数を低減（即ち、車両からの送信データ量を低減）することにつながる。
【００４１】
（第３例）
第３例において、車群判定部４２は、セル遷移情報に基づいて、ＭＥＣノード１０が管理している第１セルから第２セルへ遷移した車両のうち、当該第２セルまでに所定数の同じセルを遷移してきた複数の車両を特定する。更に、車群判定部４２は、特定した複数の車両から成る車群を、送信制御の対象とされる車群として判定する。このように、本例では、車群判定部４２は、過去のセル遷移が同じ複数の車両を車群として抽出する。
【００４２】
次にＳ３で、ＵＬ制御部４４は、車群判定部４２によって判定された車群の中で、経路依存データのアップリンク送信を許可する車両を決定する。具体的には、ＵＬ制御部４４は、ＭＥＣノード１０が管理している第１セルから第２セルへ遷移した車両から成る車群について、当該第２セルへ遷移したタイミングが早い順に、予め設定された台数の車両にのみ、経路依存データのアップリンク送信を許可する。即ち、ＵＬ制御部４４は、判定された車群に属する複数の車両のうちで、先頭から順に、設定された台数の車両にアップリンク送信を許可する。なお、第２セルへの車両の遷移順を示す情報は、車群判定部４２からＵＬ制御部４４に提供されうる。
【００４３】
基準設定部４３は、情報取得部４１によって取得された通信情報に含まれる輻輳情報が示す、第２セルの輻輳度に応じて、アップリンク送信を許可する車両の台数を、ＵＬ制御部４４に対して設定してもよい。あるいは、基準設定部４３は、第２セルに属する車両の台数を特定し、特定した車両の台数に応じて、アップリンク送信を許可する車両の台数を、ＵＬ制御部４４に対して設定してもよい。
【００４４】
最後にＳ４で、ＵＬ制御部４４は、車群判定部４２によって判定された車群に属する複数の車両のうち、Ｓ３で許可された一部の車両以外の車両に対して、経路依存データのアップリンク送信を禁止するための送信制御信号を、基地局を介して送信する。これにより、経路依存データのアップリンク送信を行う車両が、車群に属する複数の車両のうちの一部の車両に制限される。ＵＬ制御部４４は、例えば、アップリンク送信の制限の対象となる車両に対して、車群判定部４２によって判定された車群に属している間の、経路依存データのアップリンク送信を禁止する。あるいは、ＵＬ制御部４４は、車群判定部４２による判定から所定の待ち時間が経過するまでの、経路依存データのアップリンク送信を禁止してもよい。
【００４５】
また、ＵＬ制御部４４は、車群判定部４２によって判定された車群の有効範囲（即ち、当該車群に対してアップリンク送信の制御を行うセル範囲）を、当該車群の判定対象となった単一のセル（図２及び図６の例ではセル２）に限定して設定してもよい。あるいは、ＵＬ制御部４４は、車群の有効範囲を、車群の判定対象となった単一のセルと、当該単一のセルから連続して隣接する１つ以上のセルとに設定してもよい。例えば、図７に示す例では、セル１、セル２、セル３及びセル４を通る道路に沿って、セル１からセル４を連結し、セル２とセル２に隣接するセル３とを、車群の有効範囲として設定されてもよい。ＵＬ制御部４４は、車群判定部４２によって判定された車群の有効範囲として設定した１つ以上のセルにおいて、当該車群に対して、上述のようにアップリンク送信の制御を行う。
【００４６】
以上説明したように、本実施形態では、情報取得部４１は、ＭＥＣノード１０に接続された複数の基地局により形成される複数のセル内を移動する各車両についてのセル遷移情報を、ＭＥＣノード１０（図４のＮＷ情報収集部４０）から取得する。車群判定部４２は、情報取得部４１により取得されたセル遷移情報に基づいて、経路依存データについてのアップリンクの送信制御の対象とされる、複数の車両から成る車群を判定する。更に、ＵＬ制御部４４は、車群判定部４２により判定された車群に対して、経路依存データのアップリンク送信を行う車両を、当該車群に属する複数の車両のうちの一部の車両に制限する送信制御を行う。
【００４７】
このように、本実施形態によれば、車群を判定し、判定した車群について、経路依存データのアップリンク送信を行う車両を一部の車両に制限することで、当該車群から送信されるデータの情報量を保ちつつ、当該車群からの送信データ量を低減できる。即ち、アップリンクトラフィックを低減することができ、無線区間における通信の輻輳を防止することが可能になる。したがって、本実施形態によれば、無線区間における通信の輻輳を防止するために、エッジコンピューティングを利用して車両からのデータのアップリンク送信を適切に制御することが可能になる。
【００４８】
なお、上述の実施形態では、通信制御装置に相当する通信制御部２０はＭＥＣノード１０内に配置されているが、通信制御装置は、ＭＥＣノード１０の外部に配置されてもよい。その場合、通信制御装置は、ＭＥＣノード１０と通信可能に接続され、ＭＥＣノード１０からセル遷移情報を取得するように構成されうる。
【００４９】
なお、本実施形態に係る管理システム（管理装置）は、コンピュータを管理装置として機能させるためのコンピュータプログラムにより実現することができる。当該コンピュータプログラムは、コンピュータが読み取り可能な記憶媒体に記憶されて配布が可能なもの、又は、ネットワーク経由で配布が可能なものである。
【符号の説明】
【００５０】
１０（１０ａ，１０ｂ）：ＭＥＣノード、２０：通信制御部
１１：上位ネットワーク、１２：データセンター
３１：ＣＰＵ、３２：ＲＯＭ、３３：ＲＡＭ、３４：外部記憶装置、３５：通信装置
４０：ＮＷ情報収集部、４１：情報取得部、４２：車群判定部
４３：基準設定部、４４：ＵＬ制御部
【図１】
2019146072.tif 000003
【図２】
2019146072.tif 000004
【図３】
2019146072.tif 000005
【図４】
2019146072.tif 000006
【図５】
2019146072.tif 000007
【図６】
2019146072.tif 000008
【図７】
2019146072.tif 000009